(57)【特許請求の範囲】
【請求項１】
既存電話網の信号網と、ＩＰ（Ｉｎｔｅｒｎｅｔ  Ｐｒｏｔｏｃｏｌ）網のアプリケーションサーバとの間でシグナリングメッセージのインタワーキングを実現するシグナリングゲートウェイシステムであって、
前記信号網との間の回線上のシグナリングリンクと、前記アプリケーションサーバとの間の論理的なコネクションを示すアソシエーション及び前記アソシエーション上のデータ転送単位であるストリームとをそれぞれ収容する前記信号網側及び前記ＩＰ網側の信号処理機能と、前記信号網と前記ＩＰ網との間でのシグナリングメッセージを転送するトランスポートレイヤ制御と、ルーティングテーブルを用いた前記回線上のリンクと前記アソシエーション及びストリームとの間でのシグナリングメッセージルーティングと、前記シグナリングメッセージ転送用のトランスポートプロトコル変換とを行う転送機能とを含む分散型シグナリングゲートウェイと、
前記分散型シグナリングゲートウェイが収容する前記シグナリングリンクの網の集中管理制御を行う制御機能と、前記シグナリングリンクの網の集中管理制御結果に基づいて前記分散型シグナリングゲートウェイを介した前記回線上のリンクと前記アソシエーション及びストリームとの間のルーティングを実現するための設定管理を行う設定管理機能とを含む網管理サーバとを有することを特徴とするシグナリングゲートウェイシステム。
【請求項２】
前記網管理サーバは、個々のシグナリングゲートウェイ障害時に前記分散型シグナリングゲートウェイをまたいだチェンジオーバ／バック制御を行うよう構成したことを特徴とする請求項１記載のシグナリングゲートウェイシステム。
【請求項３】
前記網管理サーバは、前記ＩＰ網を介して前記分散型シグナリングゲートウェイ同士を接続させるよう構成したことを特徴とする請求項１または請求項２記載のシグナリングゲートウェイシステム。
【請求項４】
前記アプリケーションサーバから前記信号網に特化した網管理機能を排除するよう構成したことを特徴とする請求項１から請求項３のいずれか記載のシグナリングゲートウェイシステム。
【請求項５】
既存電話網の信号網と、ＩＰ（Ｉｎｔｅｒｎｅｔ  Ｐｒｏｔｏｃｏｌ）網のアプリケーションサーバとの間でシグナリングメッセージのインタワーキングを実現するシグナリングゲートウェイシステムの網管理方法であって、
分散型シグナリングゲートウェイが、前記信号網との間の回線上のシグナリングリンクと、前記アプリケーションサーバとの間の論理的なコネクションを示すアソシエーション及び前記アソシエーション上のデータ転送単位であるストリームとをそれぞれ収容し、前記信号網と前記ＩＰ網との間でのシグナリングメッセージを転送するトランスポートレイヤ制御と、ルーティングテーブルを用いた前記回線上のリンクと前記アソシエーション及びストリームとの間でのシグナリングメッセージルーティングと、前記シグナリングメッセージ転送用のトランスポートプロトコル変換とを行い、
前記網管理サーバが、前記分散型シグナリングゲートウェイが収容する前記シグナリングリンクの網の集中管理制御を行い、前記シグナリングリンクの網の集中管理制御結果に基づいて前記分散型シグナリングゲートウェイを介した前記回線上のリンクと前記アソシエーション及びストリームとの間のルーティングを実現するための設定管理を行うようにしたことを特徴とする網管理方法。
【請求項６】
個々のシグナリングゲートウェイ障害時に前記分散型シグナリングゲートウェイをまたいだチェンジオーバ／バック制御を行うステップを前記網管理サーバに有することを特徴とする請求項５記載の網管理方法。
【請求項７】
前記網管理サーバによって前記ＩＰ網を介して前記分散型シグナリングゲートウェイ同士を接続させるようにしたことを特徴とする請求項５または請求項６記載の網管理方法。
【請求項８】
前記アプリケーションサーバから前記信号網に特化した網管理機能を排除するようにしたことを特徴とする請求項５から請求項７のいずれか記載の網管理方法。
【発明の詳細な説明】
【０００１】
【発明の属する技術分野】
本発明はシグナリングゲートウェイシステム及びそれに用いる網管理方法に関し、特に分散型のシグナリングゲートウェイにおける網管理方法に関する。
【０００２】
【従来の技術】
従来、シグナリングゲートウェイシステムにおいては、網管理制御を個々のシグナリングゲートウェイが担当しており、網管理単位がシグナリングゲートウェイの収容回線の範囲内に制約されるとともに、個々のシグナリングゲートウェイが実現し得る信頼性の範囲内で品質が維持されている。
【０００３】
そのため、個々のシグナリングゲートウェイの収容回線の範囲内でしか網管理を行うことができず、これによる信号網でのアドレスリソースの無駄遣いや、シグナリングゲートウェイをまたいだチェンジオーバ／バック制御を行うことができない。
【０００４】
これによって、複数のシグナリングゲートウェイが構成するシステムの信頼性が低下し、個々のシグナリングゲートウェイでの信頼性を高めるために数多く配備するシグナリングゲートウェイの装置コストが上昇し、システム全体のコストをも上昇させている。
【０００５】
【発明が解決しようとする課題】
上述した従来のシグナリングゲートウェイシステムでは、上記の問題を解決するために、信号網の網管理機能をアプリケーションサーバに搭載する方法が論じられているが、アプリケーションサーバが網管理機能と個々のシグナリングゲートウェイの制御とを実行することによって、アプリケーションサーバでの呼処理能力の低下が問題となっている。
【０００６】
そこで、本発明の目的は上記の問題点を解消し、アプリケーションサーバでの呼処理能力の低下を招くことなく、信号網でのアドレスリソースの無駄遣いをなくすことができ、チェンジオーバ／バック制御を行うことができるシグナリングゲートウェイシステム及びそれに用いる網管理方法を提供することにある。
【０００７】
【課題を解決するための手段】
本発明によるシグナリングゲートウェイシステムは、既存電話網の信号網と、ＩＰ（Ｉｎｔｅｒｎｅｔ  Ｐｒｏｔｏｃｏｌ）網のアプリケーションサーバとの間でシグナリングメッセージのインタワーキングを実現するシグナリングゲートウェイシステムであって、
前記信号網との間の回線上のシグナリングリンクと、前記アプリケーションサーバとの間の論理的なコネクションを示すアソシエーション及び前記アソシエーション上のデータ転送単位であるストリームとをそれぞれ収容する前記信号網側及び前記ＩＰ網側の信号処理機能と、前記信号網と前記ＩＰ網との間でのシグナリングメッセージを転送するトランスポートレイヤ制御と、ルーティングテーブルを用いた前記回線上のリンクと前記アソシエーション及びストリームとの間でのシグナリングメッセージルーティングと、前記シグナリングメッセージ転送用のトランスポートプロトコル変換とを行う転送機能とを含む分散型シグナリングゲートウェイと、
前記分散型シグナリングゲートウェイが収容する前記シグナリングリンクの網の集中管理制御を行う制御機能と、前記シグナリングリンクの網の集中管理制御結果に基づいて前記分散型シグナリングゲートウェイを介した前記回線上のリンクと前記アソシエーション及びストリームとの間のルーティングを実現するための設定管理を行う設定管理機能とを含む網管理サーバとを備えている。
【０００８】
本発明による網管理方法は、既存電話網の信号網と、ＩＰ（Ｉｎｔｅｒｎｅｔ  Ｐｒｏｔｏｃｏｌ）網のアプリケーションサーバとの間でシグナリングメッセージのインタワーキングを実現するシグナリングゲートウェイシステムの網管理方法であって、
分散型シグナリングゲートウェイが、前記信号網との間の回線上のシグナリングリンクと、前記アプリケーションサーバとの間の論理的なコネクションを示すアソシエーション及び前記アソシエーション上のデータ転送単位であるストリームとをそれぞれ収容し、前記信号網と前記ＩＰ網との間でのシグナリングメッセージを転送するトランスポートレイヤ制御と、ルーティングテーブルを用いた前記回線上のリンクと前記アソシエーション及びストリームとの間でのシグナリングメッセージルーティングと、前記シグナリングメッセージ転送用のトランスポートプロトコル変換とを行い、
前記網管理サーバが、前記分散型シグナリングゲートウェイが収容する前記シグナリングリンクの網の集中管理制御を行い、前記シグナリングリンクの網の集中管理制御結果に基づいて前記分散型シグナリングゲートウェイを介した前記回線上のリンクと前記アソシエーション及びストリームとの間のルーティングを実現するための設定管理を行うようにしている。
【０００９】
すなわち、本発明のシグナリングゲートウェイシステムは、既存電話網の信号網［ＳＳ７（Ｓｉｇｎａｌｉｎｇ  Ｓｙｓｔｅｍ  Ｎｏ．７：共通線信号方式）網］と、ＩＰ（Ｉｎｔｅｒｎｅｔ  Ｐｒｏｔｏｃｏｌ）網のアプリケーションサーバとの間でシグナリングメッセージのインタワーキングを実現するシグナリングゲートウェイシステムを構築する上で、分散型シグナリングゲートウェイに信号網とＩＰ網との間でのシグナリングメッセージ転送機能を割り当て、高信頼性を有する網管理サーバに分散型シグナリングゲートウェイが収容する信号網の網管理・制御機能を割り当てるという機能分担を行っている。これによって、シグナリングゲートウェイシステム全体の網管理に対する信頼性を向上させることが可能となる。
【００１０】
また、シグナリングゲートウェイシステムで網管理を集中制御することで、個々のシグナリングゲートウェイ障害時にシグナリングゲートウェイをまたいだチェンジオーバ／バック制御が網管理サーバによって実行可能となり、個々のシグナリングゲートウェイやＳＳ７網のリンクの障害に対する信頼性を向上させることが可能となる。
【００１１】
さらに、シグナリングゲートウェイシステム内で、網管理サーバ主導によるＩＰ網を介したシグナリングゲートウェイ同士の接続によって、チェンジオーバの際のメッセージロス防止制御等、個々の独立したシグナリングゲートウェイでは対応することができなかった機能をサポートすることが可能となる。
【００１２】
さらにまた、シグナリングゲートウェイが網管理から解放されることで、シグナリングメッセージ転送に特化することが可能となり、転送能力が向上することで、信号網との回線を効率よく使用することが可能となる。
【００１３】
網管理機能とシグナリングゲートウェイ機能とをフレキシブルに対応付けすることが可能となることで、信号網のアドレスリソース等を有効に活用することが可能となる。この場合、アプリケーションサーバから信号網に特化した網管理機能を排除することで、アプリケーションサーバの能力向上を図ることが可能となる。
【００１４】
【発明の実施の形態】
次に、本発明の一実施例について図面を参照して説明する。図１は本発明の一実施例によるシグナリングゲートウェイシステムの構成を示すブロック図である。図１において、シグナリングゲートウェイシステム（ＳＧＳＹＳ）１は網管理サーバ１０と、分散配置型のシグナリングゲートウェイ（ＳＧ）２０〜２ｎとから構成され、既存電話網内でシグナリングメッセージを転送する信号網［ＳＳ７（Ｓｉｇｎａｌｉｎｇ  Ｓｙｓｔｅｍ  Ｎｏ．７：共通線信号方式）網］２００と、ＩＰ網１００上でシグナリングメッセージを終端して呼処理等のアプリケーション処理を実現するアプリケーションサーバ（ＡＳ）３０〜３ｋとの間に位置し、両者のシグナリングメッセージのインタワーキングを実現する。
【００１５】
尚、実際のネットワーク構築を行う上ではアプリケーションサーバ３０〜３ｋとシグナリングゲートウェイシステム１との間でルータ等のネットワーク機器（図示せず）が配備されるが、その配備については公知であり、本発明とは直接的な関係はないため、その説明を省略する。
【００１６】
図２は図１のシグナリングゲートウェイ２０の構成を示すブロック図である。図２において、シグナリングゲートウェイ２０はＮｏ．７側信号処理部２０１と、ＩＰ側信号処理部２０２と、シグナリングメッセージ転送機能２０３と、ルーティングテーブル２０４とから構成されている。尚、図示していないが、シグナリングゲートウェイ２１〜２ｎの構成も上記のシグナリングゲートウェイ２０と同様の構成となっている。
【００１７】
シグナリングゲートウェイ２０のＮｏ．７側信号処理部２０１及びＩＰ側信号処理部２０２は信号網２００との間の回線２１０上のシグナリングリンクと、アプリケーションサーバ３０〜３ｋとの間の論理的なコネクションを示すアソシエーション１１０〜１１ｍ及びアソシエーション１１０〜１１ｍ上のデータ転送単位であるストリームとをそれぞれ収容する。
【００１８】
シグナリングメッセージ転送機能２０３はシグナリングメッセージを転送するトランスポートレイヤ制御と、ルーティングテーブル２０４を用いた回線２１０〜２１ｎ上のリンクとアソシエーション１１０〜１１ｍ及びストリームとの間でのシグナリングメッセージルーティングと、シグナリングメッセージ転送用のトランスポートプロトコル変換とを行う。シグナリングゲートウェイ２０〜２ｎでは網管理制御を行わず、上記の各機能に特化することで、転送能力の向上を図る。
【００１９】
図３は図１の網管理サーバ１０の構成を示すブロック図である。図３において、網管理サーバ１０は信号処理部１１と、網集中管理制御機能１２と、ルーティングテーブル設定管理機能１３とから構成されている。
【００２０】
網管理サーバ１０の網集中管理制御機能１２はシグナリングゲートウェイ２０〜２ｎが収容するシグナリングリンクの網の集中管理制御を行う。ルーティングテーブル設定管理機能１３は網集中管理制御機能１２の網管理結果に基づき、シグナリングゲートウェイ２０〜２ｎを介した回線２１０〜２１ｎ上のリンクとアソシエーション１１０〜１１ｎ及びストリームとの間のルーティングを実現するために、シグナリングゲートウェイ２０〜２ｎ上のルーティングテーブル２０４を設定管理する。この網管理サーバ１０は装置とネットワークインタフェースに対する冗長設計とによって高度な信頼性が確立され、網管理機能の信頼性を保証している。
【００２１】
図４は図１の網管理サーバ１０の動作を示すフローチャートであり、図５は図１のシグナリングゲートウェイ２０〜２ｎの動作を示すフローチャートである。これら図１〜図５を参照して本発明の一実施例によるシグナリングゲートウェイシステム１の動作について説明する。
【００２２】
網管理サーバ１０はシグナリングゲートウェイ２０が収容する回線２１０の障害が発生した場合（図４ステップＳ１）、シグナリングゲートウェイ２０からの回線障害報告によって、アプリケーションサーバ３０−アソシエーション１１０−シグナリングゲートウェイ２０−回線２１０を介したシグナリングメッセージ転送が不可であることを認識する（図４ステップＳ２）。
【００２３】
網管理サーバ１０はシグナリングゲートウェイ２１を介して信号網２００に対して回線２１０を使用せずに、アプリケーションサーバ３０と予備的なアソシエーション１１１を確立しているシグナリングゲートウェイ２１が収容している回線２１１にシグナリングメッセージの転送を迂回させるという、信号のメッセージ転送制御で規定されているシグナリングリンクのチェンジオーバ制御を実行する（図４ステップＳ３）。
【００２４】
この時、網管理サーバ１０はシグナリングゲートウェイ２０に対してアプリケーションサーバ３０とのアソシエーション１１０を解除させることで、アプリケーションサーバ３０に対してシグナリングゲートウェイ２０が信号網２００と通信できなくなったことと、予備的なアソシエーション１１１とシグナリングゲートウェイＳＧ２１とを使って信号網２００と通信することを示唆する（図４ステップＳ４）。
【００２５】
また、この時、シグナリングゲートウェイ２０にバッファリングされた信号網２００へのシグナリングメッセージは、ＩＰ網１００を介してシグナリングゲートウェイ２１経由で信号網２００に転送することで、チェンジオーバに伴うメッセージロスを防止する。
【００２６】
網管理サーバ１０は回線２１０が復旧すると（図４ステップＳ５）、シグナリングゲートウェイ２０と回線２１０とアソシエーション１１０とを使用したシグナリングメッセージ転送を復旧させるチェンジバックを行う（図４ステップＳ６）。
【００２７】
シグナリングゲートウェイ２０〜２ｎはアプリケーションサーバ３０〜３ｋまたはアソシエーション１１０〜１１ｍに障害が発生すると（図５ステップＳ１１）、アソシエーション切替えを行う（図５ステップＳ１２）。
【００２８】
この時、図１においてアプリケーションサーバ３０がシグナリングゲートウェイ２０の現用系（ＡＣＴ）サーバで、アプリケーションサーバ３ｋが予備系（ＳＢＹ）サーバである場合、アプリケーションサーバ３０の障害をアソシエーション障害によってシグナリングゲートウェイ２０が認識すると、シグナリングゲートウェイ２０はアプリケーションサーバ３ｋとのアソシエーション１１ｍ−１にシグナリングメッセージ転送ルートを変更し、サービスの継続を図る（図５ステップＳ１３）。また、シグナリングゲートウェイ２０はルーティング情報の変更を網管理サーバ１０に通知する（図５ステップＳ１４）。
【００２９】
このように、既存電話網の信号網２００とＩＰ網１００のアプリケーションサーバ３０〜３ｋとの間でシグナリングメッセージのインタワーキングを実現するシグナリングゲートウェイシステム１を構築する上で、分散型のシグナリングゲートウェイ２０〜２ｎに信号網２００とＩＰ網１００との間でのシグナリングメッセージ転送機能を割り当て、高信頼性を有する網管理サーバ１０に分散型のシグナリングゲートウェイ２０〜２ｎが収容する信号網２００の網管理・制御機能を割り当てることによって、シグナリングゲートウェイシステム１全体の網管理に対する信頼性を向上させることができる。
【００３０】
また、シグナリングゲートウェイシステム１で網管理を集中制御することで、個々のシグナリングゲートウェイ２０〜２ｎ障害時に、シグナリングゲートウェイ２０〜２ｎをまたいだチェンジオーバ／バック制御を網管理サーバ１０によって実行することができる。個々のシグナリングゲートウェイ２０〜２ｎや信号網２００のリンクの障害に対する信頼性を向上させることができる。
【００３１】
さらに、シグナリングゲートウェイシステム１内で、網管理サーバ１０の主導によるＩＰ網１００を介したシグナリングゲートウェイ２０〜２ｎ同士の接続によって、チェンジオーバの際のメッセージロス防止制御等、個々の独立したシグナリングゲートウェイ２０〜２ｎでは対応することができなかった機能をサポートすることができる。
【００３２】
さらにまた、シグナリングゲートウェイ２０〜２ｎが網管理から解放されることで、シグナリングメッセージ転送に特化することができ、転送能力を向上させることができるので、信号網２００との回線２１０〜２１ｎを効率よく使用することができる。
【００３３】
網管理サーバ１０の網管理機能とシグナリングゲートウェイ２０〜２ｎの機能とをフレキシブルに対応付けすることで、信号網２００のアドレスリソース等を有効に活用することができる。また、アプリケーションサーバ３０〜３ｋから信号網２００に特化した網管理機能を排除することで、アプリケーションサーバ３０〜３ｋの能力向上を図ることができる。
【００３４】
【発明の効果】
以上説明したように本発明によれば、既存電話網の信号網と、ＩＰ網のアプリケーションサーバとの間でシグナリングメッセージのインタワーキングを実現するシグナリングゲートウェイシステムにおいて、分散型シグナリングゲートウェイが信号網とＩＰ網との間でのシグナリングメッセージの転送を行い、網管理サーバが分散型シグナリングゲートウェイが収容する信号網の網管理を集中制御することによって、アプリケーションサーバでの呼処理能力の低下を招くことなく、信号網でのアドレスリソースの無駄遣いをなくすことができ、チェンジオーバ／バック制御を行うことができるという効果がある。
【図面の簡単な説明】
【図１】本発明の一実施例によるシグナリングゲートウェイシステムの構成を示すブロック図である。
【図２】図１のシグナリングゲートの構成を示すブロック図である。
【図３】図１の網管理サーバの構成を示すブロック図である。
【図４】図１の網管理サーバの動作を示すフローチャートである。
【図５】図１のシグナリングゲートの動作を示すフローチャートである。
【符号の説明】
１  シグナリングゲートウェイシステム
１０  網管理サーバ
１１  信号処理部
１２  網集中管理制御機能
１３  ルーティングテーブル設定管理機能
２０〜２ｎ  シグナリングゲートウェイ
３０〜３ｋ  アプリケーションサーバ
１００  ＩＰ網
１１０〜１１ｍ  アソシエーション
２００  信号網
２０１  Ｎｏ．７側信号処理部
２０２  ＩＰ側信号処理部
２０３  シグナリングメッセージ転送機能
２０４  ルーティングテーブル
２１０〜２１ｎ  回線
【図１】
0003666415.tif 000002
【図２】
0003666415.tif 000003
【図３】
0003666415.tif 000004
【図４】
0003666415.tif 000005
【図５】
0003666415.tif 000006